(57)【要約】【課題】  Ｏ脚を効果的に改善させて矯正することができるＯ脚矯正具及び腰痛を効果的に軽減する腰痛改善ベルトを得る。【解決手段】  Ｏ脚矯正具であって、両脚の各大腿部を一緒に巻き締める大腿部用ベルト２と、両脚の各膝蓋骨及び腓骨頭を一緒に巻き締める膝部用ベルト５と、両脚の各下腿部を一緒に巻き締める下腿部用ベルト７とを備えている。また、大腿部用ベルト２は、腰痛を効果的に軽減する腰痛改善ベルトとして用いることができる。【選択図】  図４
2006149432.tif 000002
【特許請求の範囲】
【請求項１】
Ｏ脚矯正具であって、
両脚の各大腿部を一緒に巻き締める大腿部用ベルトと、
両脚の各膝蓋骨及び腓骨頭を一緒に巻き締める膝部用ベルトと、
両脚の各下腿部を一緒に巻き締める下腿部用ベルトとを備えたことを特徴とするＯ脚矯正具。
【請求項２】
前記大腿部用ベルトの長手方向の長さ寸法が、前記膝部用ベルト及び前記下腿部用ベルトの長手方向の長さ寸法よりも大きいことを特徴とする請求項１に記載のＯ脚矯正具。
【請求項３】
前記膝部用ベルトの長手方向の長さ寸法は、前記下腿部用ベルトの長手方向の長さ寸法と同じであることを特徴とする請求項２に記載のＯ脚矯正具。
【請求項４】
前記大腿部用ベルトは、
ベルト状の大腿部用本体部と、
前記ベルト状の大腿部用本体部の内側面の中心部において、該ベルト状の大腿部用本体部の長手方向に沿って設けられた大腿部用帯状ゴム部材と、
前記ベルト状の大腿部用本体部の側面であって、前記大腿部用帯状ゴム部材の両端に設けられた一対の大腿部用ベルベットファスナーとを備え、
前記一対の大腿部用ベルベットファスナーは、一方の大腿部用ベルベットファスナーが前記ベルト状の大腿部用本体部の内側面に設けられており、他方の大腿部用ベルベットファスナーが前記ベルト状の大腿部用本体部の外側面に設けられていることを特徴とする請求項１乃至３のうちのいずれか一つに記載のＯ脚矯正具。
【請求項５】
前記ベルト状の大腿部用本体部の内側面に設けられた大腿部用ベルベットファスナーは、前記ベルト状の大腿部用本体部の外側面に設けられた大腿部用ベルベットファスナーに比べて前記長手方向の長さが大きいことを特徴とする請求項４に記載のＯ脚矯正具。
【請求項６】
前記大腿部用帯状ゴム部材の両端部には、前記長手方向に伸びた一対の細長状ゴム部材が設けられていることを特徴とする請求項４又は５に記載のＯ脚矯正具。
【請求項７】
前記膝部用ベルトは、
ベルト状の膝部用本体部と、
前記ベルト状の膝部用本体部の内側面の中心部において、該ベルト状の膝部用本体部の長手方向に沿って設けられた膝部用帯状ゴム部材と、
前記ベルト状の膝部用本体部の側面であって、前記膝部用帯状ゴム部材の両端に設けられた一対の膝部用ベルベットファスナーとを備え、
前記一対の膝部用ベルベットファスナーは、一方の膝部用ベルベットファスナーが前記ベルト状の膝部用本体部の内側面に設けられており、他方の膝部用ベルベットファスナーが前記ベルト状の膝部用本体部の外側面に設けられていることを特徴とする請求項１乃至６のうちのいずれか一つに記載のＯ脚矯正具。
【請求項８】
前記ベルト状の膝部用本体部の内側面に設けられた膝部用ベルベットファスナーは、前記ベルト状の膝部用本体部の外側面に設けられた膝部用ベルベットファスナーに比べて前記長手方向の長さが大きいことを特徴とする請求項７に記載のＯ脚矯正具。
【請求項９】
前記下腿部用ベルトは、
ベルト状の下腿部用本体部と、
前記ベルト状の下腿部用本体部の内側面の中心部において、該ベルト状の下腿部用本体部の長手方向に沿って設けられた下腿部用帯状ゴム部材と、
前記ベルト状の下腿部用本体部の側面であって、前記下腿部用帯状ゴム部材の両端に設けられた一対の下腿部用ベルベットファスナーとを備え、
前記一対の下腿部用ベルベットファスナーは、一方の下腿部用ベルベットファスナーが前記ベルト状の下腿部用本体部の内側面に設けられており、他方の下腿部用ベルベットファスナーが前記ベルト状の下腿部用本体部の外側面に設けられていることを特徴とする請求項１乃至８のうちのいずれか一つに記載のＯ脚矯正具。
【請求項１０】
前記ベルト状の下腿部用本体部の内側面に設けられた下腿部用ベルベットファスナーは、前記ベルト状の下腿部用本体部の外側面に設けられた下腿部用ベルベットファスナーに比べて前記長手方向の長さが大きいことを特徴とする請求項９に記載のＯ脚矯正具。
【請求項１１】
両脚の各大腿部を一緒に巻き締める腰痛改善ベルトであって、
ベルト状の大腿部用本体部と、
前記ベルト状の大腿部用本体部の内側面の中心部において、該ベルト状の大腿部用本体部の長手方向に沿って設けられた大腿部用帯状ゴム部材と、
前記ベルト状の大腿部用本体部の側面であって、前記大腿部用帯状ゴム部材の両端に設けられた一対の大腿部用ベルベットファスナーとを備え、
前記一対の大腿部用ベルベットファスナーは、一方の大腿部用ベルベットファスナーが前記ベルト状の大腿部用本体部の内側面に設けられており、他方の大腿部用ベルベットファスナーが前記ベルト状の大腿部用本体部の外側面に設けられていることを特徴とする腰痛改善ベルト。
【請求項１２】
前記ベルト状の大腿部用本体部の内側面に設けられた大腿部用ベルベットファスナーは、前記ベルト状の大腿部用本体部の外側面に設けられた大腿部用ベルベットファスナーに比べて前記長手方向の長さが大きいことを特徴とする請求項１１に記載の腰痛改善ベルト。
【請求項１３】
前記大腿部用帯状ゴム部材の両端部には、前記長手方向に伸びた一対の細長状ゴム部材が設けられていることを特徴とする請求項１１又は１２に記載の腰痛改善ベルト。
【発明の詳細な説明】
【技術分野】
【０００１】
本発明は、Ｏ脚を矯正するのに適用可能なＯ脚矯正具及び腰痛を改善するのに適用可能な腰痛改善ベルトに関するものである。
【背景技術】
【０００２】
従来において、Ｏ脚を改善することができるＯ脚矯正用ベルトや、腰痛を改善することができる腰痛用ベルトが種々知られている（例えば、特許文献１，２参照。）。
【特許文献１】特開２０００−３１６８９０号公報
【特許文献２】特開平１１−５６８８７号公報
【発明の開示】
【発明が解決しようとする課題】
【０００３】
しかしながら、上記文献１等の従来におけるＯ脚矯正用ベルトは、Ｏ脚を矯正するには不十分であるという問題がある。より具体的に述べると、上記文献１等のＯ脚矯正ベルトは、単に一つのベルトで構成されており、該一つのベルトを両脚部の一部のみに取り付けてＯ脚を矯正するものであるため、Ｏ脚を効果的に改善させて矯正することが困難である。
【０００４】
また、上記文献２等の従来における腰痛用ベルトは、腰にベルトを取り付けるものであり、腰をサポートして一時的に腰痛を軽減させることはできても、腰痛を効果的に軽減することは困難であるという問題を有している。
【０００５】
本発明は、上述のような従来技術の問題点に鑑みてなされたものであり、Ｏ脚を効果的に改善させて矯正することができるＯ脚矯正具及び腰痛を効果的に軽減する腰痛改善ベルトを提供することを目的とする。
【課題を解決するための手段】
【０００６】
本発明は、Ｏ脚矯正具であって、両脚の各大腿部を一緒に巻き締める大腿部用ベルトと、両脚の各膝蓋骨及び腓骨頭を一緒に巻き締める膝部用ベルトと、両脚の各下腿部を一緒に巻き締める下腿部用ベルトとを備えたことを特徴とするＯ脚矯正具を提供する。また、前記大腿部用ベルトの長手方向の長さ寸法が、前記膝部用ベルト及び前記下腿部用ベルトの長手方向の長さ寸法よりも大きい方が好ましい。また、前記膝部用ベルトの長手方向の長さ寸法は、前記下腿部用ベルトの長手方向の長さ寸法と同じである方が好ましい。
【０００７】
また、前記大腿部用ベルトは、ベルト状の大腿部用本体部と、前記ベルト状の大腿部用本体部の内側面の中心部において、該ベルト状の大腿部用本体部の長手方向に沿って設けられた大腿部用帯状ゴム部材と、前記ベルト状の大腿部用本体部の側面であって、前記大腿部用帯状ゴム部材の両端に設けられた一対の大腿部用ベルベットファスナーとを備え、前記一対の大腿部用ベルベットファスナーは、一方の大腿部用ベルベットファスナーが前記ベルト状の大腿部用本体部の内側面に設けられており、他方の大腿部用ベルベットファスナーが前記ベルト状の大腿部用本体部の外側面に設けられている。また、前記ベルト状の大腿部用本体部の内側面に設けられた大腿部用ベルベットファスナーは、前記ベルト状の大腿部用本体部の外側面に設けられた大腿部用ベルベットファスナーに比べて前記長手方向の長さが大きい方が好ましい。また、前記大腿部用帯状ゴム部材の両端部には、前記長手方向に伸びた一対の細長状ゴム部材を設けることができる。
【０００８】
また、前記膝部用ベルトは、ベルト状の膝部用本体部と、前記ベルト状の膝部用本体部の内側面の中心部において、該ベルト状の膝部用本体部の長手方向に沿って設けられた膝部用帯状ゴム部材と、前記ベルト状の膝部用本体部の側面であって、前記膝部用帯状ゴム部材の両端に設けられた一対の膝部用ベルベットファスナーとを備え、前記一対の膝部用ベルベットファスナーは、一方の膝部用ベルベットファスナーが前記ベルト状の膝部用本体部の内側面に設けられており、他方の膝部用ベルベットファスナーが前記ベルト状の膝部用本体部の外側面に設けられている。また、前記ベルト状の膝部用本体部の内側面に設けられた膝部用ベルベットファスナーは、前記ベルト状の膝部用本体部の外側面に設けられた膝部用ベルベットファスナーに比べて前記長手方向の長さが大きい方が好ましい。
【０００９】
また、前記下腿部用ベルトは、ベルト状の下腿部用本体部と、前記ベルト状の下腿部用本体部の内側面の中心部において、該ベルト状の下腿部用本体部の長手方向に沿って設けられた下腿部用帯状ゴム部材と、前記ベルト状の下腿部用本体部の側面であって、前記下腿部用帯状ゴム部材の両端に設けられた一対の下腿部用ベルベットファスナーとを備え、前記一対の下腿部用ベルベットファスナーは、一方の下腿部用ベルベットファスナーが前記ベルト状の下腿部用本体部の内側面に設けられており、他方の下腿部用ベルベットファスナーが前記ベルト状の下腿部用本体部の外側面に設けられている。また、前記ベルト状の下腿部用本体部の内側面に設けられた下腿部用ベルベットファスナーは、前記ベルト状の下腿部用本体部の外側面に設けられた下腿部用ベルベットファスナーに比べて前記長手方向の長さが大きい方が好ましい。
【００１０】
また、本発明は、両脚の各大腿部を一緒に巻き締める腰痛改善ベルトであって、ベルト状の大腿部用本体部と、前記ベルト状の大腿部用本体部の内側面の中心部において、該ベルト状の大腿部用本体部の長手方向に沿って設けられた大腿部用帯状ゴム部材と、前記ベルト状の大腿部用本体部の側面であって、前記大腿部用帯状ゴム部材の両端に設けられた一対の大腿部用ベルベットファスナーとを備え、前記一対の大腿部用ベルベットファスナーは、一方の大腿部用ベルベットファスナーが前記ベルト状の大腿部用本体部の内側面に設けられており、他方の大腿部用ベルベットファスナーが前記ベルト状の大腿部用本体部の外側面に設けられていることを特徴とする腰痛改善ベルト提供する。また、前記ベルト状の大腿部用本体部の内側面に設けられた大腿部用ベルベットファスナーは、前記ベルト状の大腿部用本体部の外側面に設けられた大腿部用ベルベットファスナーに比べて前記長手方向の長さが大きい方が好ましい。また、前記大腿部用帯状ゴム部材の両端部には、前記長手方向に伸びた一対の細長状ゴム部材が設けることができる。
【発明の効果】
【００１１】
請求項１記載の発明によれば、Ｏ脚矯正具であって、両脚の各大腿部を一緒に巻き締める大腿部用ベルトと、両脚の各膝蓋骨及び腓骨頭を一緒に巻き締める膝部用ベルトと、両脚の各下腿部を一緒に巻き締める下腿部用ベルトとを備えたため、Ｏ脚を効果的に改善させて矯正することができる。
【００１２】
請求項４に記載の発明によれば、前記大腿部用ベルトは、ベルト状の大腿部用本体部と、前記ベルト状の大腿部用本体部の内側面の中心部において、該ベルト状の大腿部用本体部の長手方向に沿って設けられた大腿部用帯状ゴム部材と、前記ベルト状の大腿部用本体部の側面であって、前記大腿部用帯状ゴム部材の両端に設けられた一対の大腿部用ベルベットファスナーとを備え、前記一対の大腿部用ベルベットファスナーは、一方の大腿部用ベルベットファスナーが前記ベルト状の大腿部用本体部の内側面に設けられており、他方の大腿部用ベルベットファスナーが前記ベルト状の大腿部用本体部の外側面に設けられているため、両脚の各大腿部を確実に巻き締めることができ、Ｏ脚を効果的に改善させて矯正することができる。
【００１３】
請求項５に記載の発明によれば、前記ベルト状の大腿部用本体部の内側面に設けられた大腿部用ベルベットファスナーは、前記ベルト状の大腿部用本体部の外側面に設けられた大腿部用ベルベットファスナーに比べて前記長手方向の長さが大きいため、大腿部用ベルベットファスナー同士の取り付け位置を調整して確実に巻き締めることができ、Ｏ脚を効果的に改善させて矯正することができる。
【００１４】
請求項６に記載の発明によれば、前記大腿部用帯状ゴム部材の両端部には、前記長手方向に伸びた一対の細長状ゴム部材が設けられているため、腸脛靱帯の一部を押圧して膝の膝蓋骨を正位置に矯正することができる。
【００１５】
請求項７に記載の発明によれば、前記膝部用ベルトは、ベルト状の膝部用本体部と、前記ベルト状の膝部用本体部の内側面の中心部において、該ベルト状の膝部用本体部の長手方向に沿って設けられた膝部用帯状ゴム部材と、前記ベルト状の膝部用本体部の側面であって、前記膝部用帯状ゴム部材の両端に設けられた一対の膝部用ベルベットファスナーとを備え、前記一対の膝部用ベルベットファスナーは、一方の膝部用ベルベットファスナーが前記ベルト状の膝部用本体部の内側面に設けられており、他方の膝部用ベルベットファスナーが前記ベルト状の膝部用本体部の外側面に設けられているため、両脚の各膝蓋骨及び腓骨頭を確実に巻き締めることができ、Ｏ脚を効果的に改善させて矯正することができる。
【００１６】
請求項８に記載の発明によれば、前記ベルト状の膝部用本体部の内側面に設けられた膝部用ベルベットファスナーは、前記ベルト状の膝部用本体部の外側面に設けられた膝部用ベルベットファスナーに比べて前記長手方向の長さが大きいため、膝部用ベルベットファスナー同士の取り付け位置を調整して確実に巻き締めることができ、Ｏ脚を効果的に改善させて矯正することができる。
【００１７】
請求項９に記載の発明によれば、下腿部用本体部と、前記ベルト状の下腿部用本体部の内側面の中心部において、該ベルト状の下腿部用本体部の長手方向に沿って設けられた下腿部用帯状ゴム部材と、前記ベルト状の下腿部用本体部の側面であって、前記下腿部用帯状ゴム部材の両端に設けられた一対の下腿部用ベルベットファスナーとを備え、前記一対の下腿部用ベルベットファスナーは、一方の下腿部用ベルベットファスナーが前記ベルト状の下腿部用本体部の内側面に設けられており、他方の下腿部用ベルベットファスナーが前記ベルト状の下腿部用本体部の外側面に設けられているため、両脚の各下腿部を確実に巻き締めることができ、Ｏ脚を効果的に改善させて矯正することができる。
【００１８】
請求項１０に記載の発明によれば、前記ベルト状の下腿部用本体部の内側面に設けられた下腿部用ベルベットファスナーは、前記ベルト状の下腿部用本体部の外側面に設けられた下腿部用ベルベットファスナーに比べて前記長手方向の長さが大きいため、下腿部用ベルベットファスナー同士の取り付け位置を調整して確実に巻き締めることができ、Ｏ脚を効果的に改善させて矯正することができる。
【００１９】
請求項１１に記載の発明によれば、両脚の各大腿部を一緒に巻き締める腰痛改善ベルトであって、ベルト状の大腿部用本体部と、前記ベルト状の大腿部用本体部の内側面の中心部において、該ベルト状の大腿部用本体部の長手方向に沿って設けられた大腿部用帯状ゴム部材と、前記ベルト状の大腿部用本体部の側面であって、前記大腿部用帯状ゴム部材の両端に設けられた一対の大腿部用ベルベットファスナーとを備え、前記一対の大腿部用ベルベットファスナーは、一方の大腿部用ベルベットファスナーが前記ベルト状の大腿部用本体部の内側面に設けられており、他方の大腿部用ベルベットファスナーが前記ベルト状の大腿部用本体部の外側面に設けられているため、腰痛を効果的に軽減することができる。
【００２０】
請求項１２に記載の発明によれば、前記ベルト状の大腿部用本体部の内側面に設けられた大腿部用ベルベットファスナーは、前記ベルト状の大腿部用本体部の外側面に設けられた大腿部用ベルベットファスナーに比べて前記長手方向の長さが大きいため、巻き締め調整して確実に巻き締めることができ、腰痛を効果的に軽減することができる。
【００２１】
請求項１３に記載の発明によれば、前記大腿部用帯状ゴム部材の両端部には、前記長手方向に伸びた一対の細長状ゴム部材が設けられているため、腸脛靱帯の一部を押圧して膝の膝蓋骨を正位置に矯正すると共に、腰痛を効果的に軽減することができる。
【発明を実施するための最良の形態】
【００２２】
以下、本発明にかかる、Ｏ脚を効果的に改善させて矯正することができるＯ脚矯正具及び腰痛を効果的に軽減する腰痛改善ベルトを実施するための最良の形態について図面を参照しながら述べる。まず、Ｏ脚矯正具について説明する。図１乃至図４に示すように、本発明に係るＯ脚矯正具は、使用者の両脚の各大腿部１を一緒に巻き締める大腿部用ベルト２と、両脚の各膝蓋骨３及び腓骨頭４を一緒に巻き締める膝部用ベルト５と、両脚の各下腿部６を一緒に巻き締める下腿部用ベルト７とを備えている。なお、図４において符号８は大腿骨を示し、符号９は下腿骨を示している。
【００２３】
図示のように、大腿部用ベルト２の長手方向（図１において左右方向）の長さ寸法が、膝部用ベルト５及び下腿部用ベルト７の長手方向の長さ寸法よりも大きく、また、膝部用ベルト５の長手方向の長さ寸法は、下腿部用ベルト７の長手方向の長さ寸法と同じになっている。図示のものは、大腿部用ベルト２の長手方向の長さ寸法が９６０ｍｍであり、膝部用ベルト５及び下腿部用ベルト７の長手方向の長さ寸法が共に８６０ｍｍとなっている。
【００２４】
図１に示すように、大腿部用ベルト２は、ウエットスーツ等に用いられるようなポリウレタン系合成繊維等の素材でできたベルト状の大腿部用本体部２１と、ベルト状の大腿部用本体部２１の内側面（図１において表面）の中心部において、ベルト状の大腿部用本体部２１の長手方向（図１において左右方向）に沿って設けられた大腿部用帯状ゴム部材２２と、ベルト状の大腿部用本体部２１の側面であって、大腿部用帯状ゴム部材２２の両端に設けられた一対の大腿部用ベルベットファスナー２３、２４とを備えている。
【００２５】
一対の大腿部用ベルベットファスナーは、一方の大腿部用ベルベットファスナー２４（図１において左側）がベルト状の大腿部用本体部２１の内側面に設けられており、他方の大腿部用ベルベットファスナー２３（図１において右側）がベルト状の大腿部用本体部２１の外側面に設けられている。すなわち、大腿部用帯状ゴム部材２２と大腿部用ベルベットファスナー２４が大腿部用本体部２１の内側面に設けられ、大腿部用ベルベットファスナー２３が大腿部用本体部２１の外側面に設けられている。
【００２６】
また、ベルト状の大腿部用本体部２１の内側面に設けられた大腿部用ベルベットファスナー２４は、ベルト状の大腿部用本体部２１の外側面に設けられた大腿部用ベルベットファスナー２３に比べて長手方向（図１において左右方向）の長さが大きくなっている。これによって、大腿部用ベルベットファスナー２３に対する大腿部用ベルベットファスナー２４の取り付け位置を調整することができる。
【００２７】
また、大腿部用帯状ゴム部材２２の両端部には、上記長手方向に伸びた一対の細長状ゴム部材２５が設けられている。この細長状ゴム部材２５は、腸脛靱帯（図示せず）の一部を押圧する位置に設けられており、この腸脛靱帯（図示せず）の一部を押圧することにより、膝の膝蓋骨を正位置に矯正する。
【００２８】
次に、図２に示すように、膝部用ベルト５は、ウエットスーツ等に用いられるようなポリウレタン系合成繊維等の素材でできたベルト状の膝部用本体部３１と、ベルト状の膝部用本体部３１の内側面（図２において表面）の中心部において、ベルト状の膝部用本体部３１の長手方向（図２において左右方向）に沿って設けられた膝部用帯状ゴム部材３２と、ベルト状の膝部用本体部３１の側面であって、膝部用帯状ゴム部材３２の両端に設けられた一対の膝部用ベルベットファスナー３３，３４とを備えている。
【００２９】
一対の膝部用ベルベットファスナー３３，３４は、一方の膝部用ベルベットファスナー３４がベルト状の膝部用本体部３１の内側面に設けられており、他方の膝部用ベルベットファスナー３３がベルト状の膝部用本体部３１の外側面に設けられている。
【００３０】
また、ベルト状の膝部用本体部３１の内側面に設けられた膝部用ベルベットファスナー３４は、ベルト状の膝部用本体部３１の外側面に設けられた膝部用ベルベットファスナー３３に比べて上記長手方向の長さが大きくなっている。これによって、膝部用ベルベットファスナー３３に対する膝部用ベルベットファスナー３４の取り付け位置を調整することができる。
【００３１】
次に、図３に示すように、下腿部用ベルト７は、ウエットスーツ等に用いられるようなポリウレタン系合成繊維等の素材でできたベルト状の下腿部用本体部４１と、ベルト状の下腿部用本体部４１の内側面（図３において表面）の中心部において、ベルト状の下腿部用本体部４１の長手方向（図３において左右方向）に沿って設けられた下腿部用帯状ゴム部材４２と、ベルト状の下腿部用本体部４１の側面であって、下腿部用帯状ゴム部材４２の両端に設けられた一対の下腿部用ベルベットファスナー４３，４４とを備えている。
【００３２】
一対の下腿部用ベルベットファスナーは、一方の下腿部用ベルベットファスナー４４がベルト状の下腿部用本体部４１の内側面に設けられており、他方の下腿部用ベルベットファスナー４３がベルト状の下腿部用本体部４１の外側面に設けられている。
【００３３】
また、ベルト状の下腿部用本体部４１の内側面に設けられた下腿部用ベルベットファスナー４４は、ベルト状の下腿部用本体部４１の外側面に設けられた下腿部用ベルベットファスナー４３に比べて上記長手方向の長さが大きくなっている。これによって、下腿部用ベルベットファスナー４３に対する下腿部用ベルベットファスナー４４の取り付け位置を調整することができる。
【００３４】
次に、上記Ｏ脚矯正具の取付方法について説明する。まず、使用者は、両足の親指を揃えた状態にする。このとき姿勢は起立状態、座っている状態あるいは寝ている状態のいずれであってもよい。次に、図４に示すように、大腿部用ベルト２を用いて、使用者の両脚の各大腿部１を一緒に巻き締めて、大腿部用ベルベットファスナー２３と大腿部用ベルベットファスナー２４を重ねるようにして取り付ける。次に、下腿部用ベルト７を用いて、両脚の各下腿部６を一緒に巻き締めて、下腿部用ベルベットファスナー４３と下腿部用ベルベットファスナー４４を重ねるようにして取り付ける。最後に、膝部用ベルト５を用いて、使用者の両脚の各膝蓋骨３及び腓骨頭４を一緒に巻き締めて、膝部用ベルベットファスナー３３と膝部用ベルベットファスナー３４を重ねるようにして取り付ける。このように３本のベルト２，５，７をベルト２、ベルト７、ベルト５の順に所定の位置に取り付けた状態でＯ脚を効果的に改善させて矯正する。取付（使用）時間は、使用者のＯ脚の度合い等によって異なる。また、大腿部用ベルト２を用いて、使用者の両脚の各大腿部１を一緒に巻き締めている際、細長状ゴム部材２５が腸脛靱帯（図示せず）の一部を押圧することにより、膝の膝蓋骨を正位置に矯正することが可能である。
【００３５】
また、上記Ｏ脚矯正具の大腿部用ベルト２だけを用いることによって腰痛を効果的に軽減することができる。すなわち、大腿部用ベルト２は、両脚の各大腿部を一緒に巻き締める腰痛改善ベルトとして利用できる。腰痛改善ベルトの構成及び取付方法は、大腿部用ベルト２と同様であるため省略する。
【図面の簡単な説明】
【００３６】
【図１】図１は、本発明にかかるＯ脚矯正具の大腿部用ベルト及び腰痛改善ベルトを示す正面図である。
【図２】図２は、本発明にかかるＯ脚矯正具の膝部用ベルトを示す正面図である。
【図３】図３は、本発明にかかるＯ脚矯正具の下腿部用ベルトを示す正面図である。
【図４】図４は、本発明にかかるＯ脚矯正具の取付方法を示す簡略図である。
【符号の説明】
【００３７】
１    大腿部
２    大腿部用ベルト
３    膝蓋骨
４    腓骨頭
５    膝部用ベルト
６    下腿部
７    下腿部用ベルト
８    大腿骨
９    下腿骨
２１    大腿部用本体部
２２    大腿部用帯状ゴム部材
２３    大腿部用ベルベットファスナー
２４    大腿部用ベルベットファスナー
２５    細長状ゴム部材
３１    膝部用本体部
３２    膝部用帯状ゴム部材
３３    膝部用ベルベットファスナー
３４    膝部用ベルベットファスナー
４１    下腿部用本体部
４２    下腿部用帯状ゴム部材
４３    下腿部用ベルベットファスナー
４４    下腿部用ベルベットファスナー
【図１】
2006149432.tif 000003
【図２】
2006149432.tif 000004
【図３】
2006149432.tif 000005
【図４】
2006149432.tif 000006